(57)【要約】【課題】低コストで土地と空間の有効活用が容易に可能なコンテナ及びその集合体を提供する。【解決手段】駐輪場7を含む所定の用途に使用可能な強度を有する屋根部4に傾斜昇降部6を設けるか、或いは屋根部4に開口部6を設け、該開口部6と底部3との間を昇降可能にするための傾斜昇降部5を設けたコンテナとする。又は、このコンテナを第１のコンテナとし、該強度を各々の屋根部が有する複数の第2のコンテナを該第1のコンテナに直接又は間接的に密着結合させてコンテナ集合体を構成する。屋根部の一部に開口部を設け、該開口部と該コンテナ集合体の底部の一部との間を複数のコンテナを経由して昇降可能にするための傾斜昇降部を設けてもよい。【選択図】  図１  
2005076309.tif 000002
【特許請求の範囲】
【請求項１】
所定の用途に使用可能な強度を有する屋根部に傾斜昇降部を設けたことを特徴とするコンテナ。
【請求項２】
請求項１において、
該屋根部に開口部を設け、該傾斜昇降部が、該開口部と内部の底部との間を昇降可能にするものであるコンテナ。
【請求項３】
請求項１において、
該傾斜昇降部が、該屋根部と外部との間を昇降可能にするものであるコンテナ。
【請求項４】
請求項１から３のいずれか１つにおいて、
該所定の用途が駐輪場であり、該屋根部が、予め該強度を有するように作られているか、又は該強度に補強したことを特徴とするコンテナ。
【請求項５】
請求項１から４のいずれか１つにおいて、
該傾斜昇降部が、階段及びスロープの内の少なくともいずれか一方であることを特徴としたコンテナ。
【請求項６】
請求項２から５のいずれか一つに記載のコンテナを第１のコンテナとし、該強度を各々の屋根部が有する複数の第2のコンテナを該第1のコンテナに直接又は間接的に密着結合させたことを特徴とするコンテナ集合体。
【請求項７】
複数のコンテナを平面的又は立体的に密着させて屋根部を形成するとともに該屋根部が、所定の用途に使用可能な強度を有するコンテナ集合体であって、
該屋根部の一部に開口部を設け、該開口部と該コンテナ集合体の底部の一部との間を複数のコンテナを経由して昇降可能にするための傾斜昇降部を設けたことを特徴とするコンテナ集合体。
【請求項８】
請求項７において、
該所定の用途が駐輪場であり、該屋根部が、予め該強度を有するように作られているか、又は該強度に補強したことを特徴とするコンテナ集合体。
【請求項９】
請求項７において、
該傾斜昇降部が、階段及びスロープの内の少なくともいずれか一方であることを特徴としたコンテナ集合体。
【発明の詳細な説明】
【技術分野】
【０００１】
本発明はコンテナ及びその集合体に関し、特に多目的収納機能を有する移動倉庫としてのコンテナ及びその集合体に関するものである。
【背景技術】
【０００２】
通常、コンテナは貨物の輸送や保管等に使用される直方体の移動式の倉庫であるが、最近では、その構造のシンプルさに着目して、ドアやシャッターを付けることによりトランクルーム用に改造したものも知られており、そのサイズ及び外見は、ISO規格（国際規格H:2,591 W:2,438 L:6,058）のものが多く用いられている。
【０００３】
また、コンテナの屋根部（ルーフ）は通常、コルゲートパネル（波形パネル）になっており、物を載せたりすることができるような強度を有していないため、この屋根部上面の空間を利用できなければ、より大きな収納空間を得るには、より大きな面積の土地が必要になる。
【０００４】
そこで、土地及び空間の有効活用を図るため、コンテナを積み重ねて集合体とすることにより、より多くの土地及び空間を活用するようにしている。
【０００５】
一方、従来より、駐車場や物置等を兼ねた大規模な車庫を提供することを目的として、パレットを介して収納物を出し入れするスタッカクレーンの走行ラインに沿って多段式車庫、多段式コンテナ室、多段式駐輪室、コンテナ・車輪用リフター室、及び車両用リフター室から成る多段収納庫を設置し、前記車輪、コンテナ又は車両を出し入れするバースを備えた車庫がある（例えば、特許文献1参照。）。
【特許文献１】特開平9-17735号公報  （第1欄[0004],[0005]、第1図）
【発明の開示】
【発明が解決しようとする課題】
【０００６】
このように、従来のコンテナ及びその集合体においては、より多くの収納空間を得るために、2段重ね等によって集合体を形成して各コンテナを個別に利用するようにしており、コスト高を招いていた。
【０００７】
従って本発明は、低コストで土地と空間の有効活用が容易に可能なコンテナ及びその集合体を提供することを課題とする。
【課題を解決するための手段】
【０００８】
上記の課題を解決するため、本発明に係るコンテナは、所定の用途に使用可能な強度を有する屋根部に傾斜昇降部を設けたことを特徴としている。
【０００９】
すなわち本発明では、通常のコンテナの屋根部は、強度が強くないため、駐輪場を含む所定の用途に使用可能な強度を有するように予め作っておくか、或いはそのような強度に補強したものとしておく。
【００１０】
そして、この屋根部に傾斜昇降路を設ければ、この傾斜昇降路に沿って、例えば自転車を押し上げ、屋根部上に駐輪させることができる。
【００１１】
また本発明では該屋根部に開口部を設け、該傾斜昇降部が該開口部とコンテナ内部の底部との間を昇降可能にするものであれば、この開口部とコンテナ内部の底部との間を傾斜昇降部に沿って昇降可能にし、例えば自転車を底部から屋根部へ押し上げ、屋根部上に駐輪させることができる。
【００１２】
傾斜昇降部は該屋根部と外部との間を昇降可能にするものでもよいが、上記のように傾斜昇降部をコンテナ内部に設ける方が土地の有効活用を図れる。
【００１３】
このように本発明では、コンテナを2段重ね等にして使用することなく、コンテナの屋根部を有効活用することが可能となり、以って土地と空間を有効活用できることになるので、コストを抑えることができる。
【００１４】
上記の場合にはコンテナ単体において、屋根部を所定の用途として駐輪場等に有効活用したものであるが、コンテナをいくつか直接又は間接的に密着結合させたコンテナ集合体によって同様に土地及び空間の有効活用を行ってもよい。
【００１５】
このようなコンテナ集合体は、上記のコンテナを第1のコンテナとし、所定の用途に使用可能な強度を各々の屋根部が有する複数の第2のコンテナを該第1のコンテナに直接又は間接的に密着結合させたものとして実現される。
【００１６】
すなわち、第1のコンテナにおいて、その底部から傾斜昇降部を経由して例えば所定の用途が駐輪場であれば、自転車を押し上げて行き、屋根部の開口部からその自転車を出すと共に、この第1のコンテナに間接的に又は直接的に密着結合されている複数の第2のコンテナの屋根部を利用して押し上げた自転車等を置くことにより、駐輪場としてより広い機能を果すことが可能となる。
【００１７】
さらに、本発明に係るコンテナ集合体は、複数のコンテナを平面的又は立体的に密着させて屋根部を形成するとともに該屋根部が、所定の用途に使用可能な強度を有するコンテナ集合体であって、該屋根部の一部に開口部を設け、該開口部と該コンテナ集合体の底部の一部との間を複数のコンテナを経由して昇降可能にするための傾斜昇降部を設けたものとして実現することもできる。
【００１８】
すなわち、上記のコンテナ集合体の場合には、第1のコンテナから例えば所定の用途が駐輪場であれば自転車を押し上げ、押し上げた自転車を複数の第2のコンテナの屋根部を利用して駐輪機能を果すものであるが、本発明の場合には、1つのコンテナに限らず、複数のコンテナを経由して傾斜昇降部が設けられており、より緩やかな傾斜に沿って自転車等を押し上げることが可能となり、より安全な駐輪場としての機能を確保することが可能となる。
【００１９】
このようなコンテナ及びコンテナ集合体において、屋根部は予め該強度を有するように作られているか、又は該強度に補強したものでよく、さらに上記の該傾斜昇降部は、階段及びスロープの内の少なくともいずれか一方であればよい。
【発明の効果】
【００２０】
本発明に係るコンテナ及びコンテナ集合体によれば、より少ない数のコンテナで、より大きな土地及び空間の有効活用が可能となり、しかもコストを下げることが可能となる。
【発明を実施するための最良の形態】
【００２１】
以下、本発明に係るコンテナ及びその集合体を、添付図面に沿って詳細に説明する。
【実施例１】
【００２２】
図１は、本発明に係るコンテナの実施例１を示したものであり、特にこの実施例１は、コンテナ単体又はその集合体で駐輪場等の機能を果そうとするものであり、同図(1)はコンテナ１単体の斜視図を示し、同図(2)はコンテナ集合体20の斜視図を示している。
【００２３】
この実施例の場合には、コンテナ1又はコンテナ集合体20の屋根部4を、所定の用途として例えば駐輪場として使用可能な強度に予め作るか、補強しておく。
【００２４】
すなわち、上記の屋根部4は、上述したように通常、コルゲートパネルになっており、図示のような駐輪場7を設置することは強度的に通常は難しいので、角パイプやC型鋼等のフレームによってコルゲートパネルの凹部に挿入し、その上面を縞板鋼板等によって床面として覆うことにより補強するか、或いは、予めこのようなフレームや縞板鋼板を用いて屋根部4を作っておく。
【００２５】
そして、屋根部4から傾斜昇降部5（階段5a及びスロープ5b或いは両方）を、図示の例では外部の地面まで設ける。これにより、外部から、例えば自転車8を傾斜昇降部5に沿って押し上げ、屋根部4に駐輪させることより、駐輪場7を提供することが可能となる。なお、9は手摺であり、自転車8並びに人が屋根部4から落ちないようにするためのものである。
【実施例２】
【００２６】
図2には、本発明に係るコンテナの実施例2を示したもので、同図(1)はコンテナ1の平面図を示し、同図(2)はこの平面図において線X-Xに沿って切断したときの正面断面図を示し、同図(3)は同じく同図(1)の平面図において線Y-Yに沿って切断したときの正面断面図を示している。また、同図(4)は同図(1)〜(3)に示すコンテナ1を右側から見たときの側面図であり且つ扉を閉めた状態を示しており、同図(5)は、同じく左側から見たときの側面図を示している。
【００２７】
これらの図において、コンテナ1は、4つのコーナーポスト（支柱）によってコンテナの直方体を構成する六面のパネル（図示せず：1面は扉）が支持されており、底部3から屋根部4に向かって傾斜昇降部5としての階段5a及びスロープ5bが矢印Aの方向に向かって直線的に上昇しており、屋根部4に設けた開口部6の右端で終端している。すなわち、この実施例2における傾斜昇降部5は実施例1のように屋根部4から外部に向かって設けるのではなく、コンテナ1の内部に設け、より一層土地の有効活用を図っている。
【００２８】
屋根部4には、踊り場40が設けてあり、これは例えば、自転車を方向転換をさせるものである。従って、屋根部4の踊り場40まで自転車を引き上げて来たとき、この踊り場40で方向を変え、駐輪場7に自転車8を駐輪させるようにしている。
【００２９】
このようにして、屋根部4の上面の約半分のスペースを駐輪場7として有効活用することができる。
【００３０】
これと同時に同図(5)に示すように、階段5a及びスロープ5bの右側には空間があり、これを活用するため、同図(3)に示すように、前面がシャッター開閉式のレンタルボックス10をこの実施例では4つ配置している。
【００３１】
また、この実施例では、コンテナ1の右側に扉11が元々設けられており、この扉を閉じた状態が同図(4)に示す右側面図である。また、同図(5)に示す左側面図の場合には、特に扉はなく、また、側面のパネルは取り外した状態で常に階段5a及びスロープ5bを外から利用できるようにしている。
【実施例３】
【００３２】
上記の実施例2の場合には、コンテナ1単体で屋根部4に設けた開口部を利用して駐輪場を提供しているが、通常は多くの自転車を駐輪させる必要があり、このため屋根部の面積をより広くする必要がある。
【００３３】
このため、図3に示す実施例3-1では、最終的に、図4に示す実施例3-2のようにコンテナ集合体20を構成する4つのコンテナ1_1〜1_4の屋根部4_1〜4_4による駐輪場7を実現するため、図2に示したような屋根部4の踊り場40を設けず、屋根部4の（図面上で）約上側半分を開口部6としている点が異なっている。もちろん、踊り場40を設けておいてもよい。
【００３４】
すなわち、図3(2)の正面断面図に示すように、傾斜昇降部5を構成する階段5a及びスロープ5bはコンテナ1の底部3から屋根部4への対角線上に設けられており、このようなコンテナ１に相当する図4におけるコンテナ1_1に対し、コンテナ1_2及び1_3を直接密着させるとともに、コンテナ1_4を間接的に密着結合している。
【００３５】
従って、階段5a又はスロープ5bを上って来ると図2のように踊り場がないので、隣のコンテナ1_2の屋根部4_2のスペースを利用して自転車を回転させることになる。なお、図4は最も効率良く4つのコンテナ1_1〜1_4の屋根部4_1〜4_4を駐輪場として活用したときの例を示している。
【実施例４】
【００３６】
上記の実施例2及び3においては、コンテナ1及び1_1の内部における階段5a及びスロープ5b以外の余った空間を利用する対象としてレンタルボックス10を設けたが、図5に示す実施例のようにコインロッカー12を用いても全く同様の効果を奏することができる。それ以外の点は上記の各実施例と同様である。
【００３７】
また、実施例3においては、図4に示す他のコンテナ1_2〜1_4の内部にレンタルボックスやコインロッカー等種々のものを収納できることは言うまでもない。
【実施例５】
【００３８】
上記の実施例2〜4の場合には、1つのコンテナ内に階段5a及びスロープ5bを設けて自転車等を引き上げるようにしているが、この場合には、これらの階段5a又はスロープ5bの傾斜角度が急なものとなり、危険を伴う場合もあるので、図6に示す本実施例5のコンテナ集合体20のように、複数のコンテナ1_1〜1_5の例ではコンテナ1_2〜1_5を経由して1つの傾斜昇降路5を設けてもよい。この場合には、コンテナ1_2〜1_5の屋根部4_2〜4_5の一部に共通に開口部6を設けており、また、左端のコンテナ1_1は図1に示した踊り場40と同等の機能を果すものである。
【００３９】
そして、この実施例の場合には、傾斜昇降路5を各コンテナ1_5〜1_2の左端に設置すれば、それ以外の空間は余るので、例えば4つのレンタルボックス10を各コンテナ1_2〜1_5に設けることができる。コンテナ1_1は通常通りの収納が可能である。この場合ももちろんレンタルボックス10の代わりにコインロッカー12を設けても良いことは言うまでもない。
【００４０】
そして、このようにして、傾斜昇降部5に沿って押し上げられた例えば自転車は、開口部6を除き、ほとんど全てのコンテナ1_1〜1_5の屋根部4_1〜4_5を利用して駐輪場7（図を簡略化するため、具体的には図示せず。）とすることが可能となる。
【００４１】
この実施例の場合には、例えば、左端に傾斜昇降路5を設けておけば、開口部6はそれに相当する面積だけでよく、その他のスペースはレンタルボックスやコインロッカーを収容することができる。
【実施例６】
【００４２】
上記の実施例2〜5の場合にはコンテナを積み重ねることはしていないが、図7のように、コンテナを積み重ねるコンテナ集合体20もよく用いられており、このような場合には、図8に示すように、例えば2層構造のコンテナ集合体20として、1階部分のコンテナ1_12〜1_15を利用して傾斜昇降部5_1を設け、さらにコンテナ1_22〜1_25を利用して傾斜昇降部5_2を設ければ、2層構造のコンテナ集合体の場合でも、コンテナ1_21〜1_25の屋根部に自転車等を引き上げることができ、駐輪場7（具体的には図示せず。）を形成することができる。なお、コンテナ1_11の屋根部と隣接しているコンテナ1_21の底部は傾斜昇降路5_1からの踊り場を形成するものである。
【００４３】
なお、この実施例の場合も、例えば、左端に傾斜昇降路5_1及び5_2を設けておけば、開口部（図示せず）はそれに相当する部分のみあればよく、その他のスペースは図6の実施例5と同様にレンタルボックスやコインロッカーを収容することができる。
【００４４】
また、上記の各実施例において、コンテナの屋根部を駐輪場とし、コンテナ内部をレンタルボックスやコインロッカー用に利用しているが、この逆でも可能であることは言うまでもない。
【図面の簡単な説明】
【００４５】
【図１】本発明の実施例1として、コンテナ及びその集合体を示したブロック図である。
【図２】本発明の実施例2として、コンテナを示したブロック図である。
【図３】本発明の実施例3として、コンテナ集合体を構成する第1のコンテナを示したブロック図である。
【図４】本発明の実施例3として、図3に示した第1のコンテナとその他の複数の第2のコンテナを組合わせて構成したコンテナ集合体を示すブロック図である。
【図５】本発明の実施例4として、実施例2及び3においてコンテナ内部の余ったスペースにコインロッカーを設置した場合の実施例を示した図である。
【図６】本発明の実施例5として、一層構造のコンテナ集合体を示した斜視図である。
【図７】コンテナを積み上げた場合の一般的なコンテナ集合体の斜視図である。
【図８】本発明の実施例6として、コンテナを積み上げた場合のコンテナ集合体の実施例を示した図である。
【符号の説明】
【００４６】
1,1_1〜1_5  コンテナ
2  コーナーポスト
3  底部
4,4_1〜4_5  屋根部
40  踊り場
5,5_1,5_2  傾斜昇降部
5a  階段
5b  スロープ
6  開口部
7  駐輪場
8  自転車
9  手摺
10  レンタルボックス
11  扉
12  コインロッカー
20  コンテナの集合体
図中、同一符号は同一又は相当部分を示す。
【図１】
2005076309.tif 000003
【図２】
2005076309.tif 000004
【図３】
2005076309.tif 000005
【図４】
2005076309.tif 000006
【図５】
2005076309.tif 000007
【図６】
2005076309.tif 000008
【図７】
2005076309.tif 000009
【図８】
2005076309.tif 000010
【手続補正書】
【提出日】平成15年9月24日(2003.9.24)
【手続補正１】
【補正対象書類名】明細書
【補正対象項目名】００３７
【補正方法】変更
【補正の内容】
【００３７】
また、実施例3においては、図4に示す他のコンテナ1_2〜1_4の内部にレンタルボックスやコインロッカー等種々のものを収納したり、備蓄倉庫やテナントスペースとしても利用できることは言うまでもない。
【手続補正２】
【補正対象書類名】明細書
【補正対象項目名】００４１
【補正方法】変更
【補正の内容】
【００４１】
この実施例の場合には、例えば、左端に傾斜昇降路5を設けておけば、開口部6はそれに相当する面積だけでよく、その他のスペースはレンタルボックスやコインロッカーを収容したり、備蓄倉庫やテナントスペースとしても利用することができる。
【手続補正３】
【補正対象書類名】明細書
【補正対象項目名】００４３
【補正方法】変更
【補正の内容】
【００４３】
なお、この実施例の場合も、例えば、左端に傾斜昇降路5_1及び5_2を設けておけば、開口部（図示せず）はそれに相当する部分のみあればよく、その他のスペースは図6の実施例5と同様にレンタルボックスやコインロッカーを収容したり、備蓄倉庫やテナントスペースとしても利用することができる。
【手続補正４】
【補正対象書類名】明細書
【補正対象項目名】００４４
【補正方法】変更
【補正の内容】
【００４４】
また、上記の各実施例において、コンテナの屋根部を駐輪場とし、コンテナ内部をレンタルボックスやコインロッカー、備蓄倉庫、テナントスペース用等に利用しているが、この逆でも可能であることは言うまでもない。
【手続補正書】
【提出日】平成15年12月5日(2003.12.5)
【手続補正１】
【補正対象書類名】特許請求の範囲
【補正対象項目名】全文
【補正方法】変更
【補正の内容】
【特許請求の範囲】
【請求項１】
駐輪場として使用可能な強度に補強した屋根部から地面へ自転車用の傾斜昇降部を設けたことを特徴とする貨物輸送用のコンテナ。
【請求項２】
駐輪場として使用可能な強度に補強した屋根部に開口部を設け、該開口部と内部の底部との間を昇降可能にする自転車用の傾斜昇降部を設けたことを特徴とする貨物輸送用のコンテナ。
【請求項３】
請求項１又は２において、
該傾斜昇降部が、階段及びスロープの内の少なくともいずれか一方であることを特徴としたコンテナ。
【請求項４】
請求項２又は３に記載のコンテナを第１のコンテナとし、該強度を各々の屋根部が有する複数の第2のコンテナを該第1のコンテナに直接又は間接的に密着結合させたことを特徴とするコンテナ集合体。
【請求項５】
複数のコンテナを平面的又は立体的に密着させて屋根部を形成するとともに該屋根部が、駐輪場として使用可能な強度に補強した貨物輸送用のコンテナの集合体であって、
該屋根部の一部に開口部を設け、該開口部と該コンテナ集合体の底部の一部との間を複数のコンテナを経由して昇降可能にするための傾斜昇降部を設けたことを特徴とするコンテナ集合体。
【請求項６】
請求項５において、
該傾斜昇降部が、階段及びスロープの内の少なくともいずれか一方であることを特徴としたコンテナ集合体。
【手続補正２】
【補正対象書類名】明細書
【補正対象項目名】０００１
【補正方法】変更
【補正の内容】
【０００１】
本発明はコンテナ及びその集合体に関し、特に多目的収納機能を有する移動倉庫としての貨物輸送用のコンテナ及びその集合体に関するものである。
【手続補正３】
【補正対象書類名】明細書
【補正対象項目名】０００７
【補正方法】変更
【補正の内容】
【０００７】
従って本発明は、低コストで土地と空間の有効活用が容易に可能な貨物輸送用のコンテナ及びその集合体を提供することを課題とする。
【手続補正４】
【補正対象書類名】明細書
【補正対象項目名】０００８
【補正方法】変更
【補正の内容】
【０００８】
上記の課題を解決するため、本発明に係るコンテナは、駐輪場として使用可能な強度に補強した屋根部に傾斜昇降部を設けたことを特徴とした貨物輸送用のコンテナである。
【手続補正５】
【補正対象書類名】明細書
【補正対象項目名】０００９
【補正方法】変更
【補正の内容】
【０００９】
すなわち本発明では、通常の貨物輸送用のコンテナの屋根部は、強度が強くないため、駐輪場に使用可能な強度に補強する。
【手続補正６】
【補正対象書類名】明細書
【補正対象項目名】００１０
【補正方法】変更
【補正の内容】
【００１０】
そして、この屋根部に傾斜昇降路を設ければ、この傾斜昇降路に沿って、自転車を押し上げ、屋根部上に駐輪させることができる。
【手続補正７】
【補正対象書類名】明細書
【補正対象項目名】００１１
【補正方法】変更
【補正の内容】
【００１１】
また本発明では該屋根部に開口部を設け、該傾斜昇降部が該開口部とコンテナ内部の底部との間を昇降可能にするものであれば、この開口部とコンテナ内部の底部との間を傾斜昇降部に沿って昇降可能にし、自転車を底部から屋根部へ押し上げ、屋根部上に駐輪させることができる。
【手続補正８】
【補正対象書類名】明細書
【補正対象項目名】００１４
【補正方法】変更
【補正の内容】
【００１４】
上記の場合にはコンテナ単体において、屋根部を駐輪場として有効活用したものであるが、コンテナをいくつか直接又は間接的に密着結合させたコンテナ集合体によって同様に土地及び空間の有効活用を行ってもよい。
【手続補正９】
【補正対象書類名】明細書
【補正対象項目名】００１６
【補正方法】変更
【補正の内容】
【００１６】
すなわち、第1のコンテナにおいて、その底部から傾斜昇降部を経由して自転車を押し上げて行き、屋根部の開口部からその自転車を出すと共に、この第1のコンテナに間接的に又は直接的に密着結合されている複数の第2のコンテナの屋根部を利用して押し上げた自転車を置くことにより、駐輪場としてより広い機能を果すことが可能となる。
【手続補正１０】
【補正対象書類名】明細書
【補正対象項目名】００１７
【補正方法】変更
【補正の内容】
【００１７】
さらに、本発明に係るコンテナ集合体は、複数のコンテナを平面的又は立体的に密着させて屋根部を形成するとともに該屋根部が、駐輪場として使用可能な強度に補強したコンテナ集合体であって、該屋根部の一部に開口部を設け、該開口部と該コンテナ集合体の底部の一部との間を複数のコンテナを経由して昇降可能にするための傾斜昇降部を設けたものとして実現することもできる。
【手続補正１１】
【補正対象書類名】明細書
【補正対象項目名】００１８
【補正方法】変更
【補正の内容】
【００１８】
すなわち、上記のコンテナ集合体の場合には、第1のコンテナから自転車を押し上げ、押し上げた自転車を複数の第2のコンテナの屋根部を利用して駐輪場機能を果すものであるが、本発明の場合には、1つのコンテナに限らず、複数のコンテナを経由して傾斜昇降部が設けられており、より緩やかな傾斜に沿って自転車を押し上げることが可能となり、より安全な駐輪場としての機能を確保することが可能となる。
【手続補正１２】
【補正対象書類名】明細書
【補正対象項目名】００１９
【補正方法】変更
【補正の内容】
【００１９】
このようなコンテナ及びコンテナ集合体において、上記の傾斜昇降部は、階段及びスロープの内の少なくともいずれか一方であればよい。
【手続補正１３】
【補正対象書類名】明細書
【補正対象項目名】００２２
【補正方法】変更
【補正の内容】
【００２２】
図１は、本発明に係るコンテナの実施例１を示したものであり、特にこの実施例１は、コンテナ単体又はその集合体で駐輪場の機能を果そうとするものであり、同図(1)はコンテナ１単体の斜視図を示し、同図(2)はコンテナ集合体20の斜視図を示している。
【手続補正１４】
【補正対象書類名】明細書
【補正対象項目名】００２３
【補正方法】変更
【補正の内容】
【００２３】
この実施例の場合には、コンテナ1又はコンテナ集合体20の屋根部4を、駐輪場として使用可能な強度に補強する。
【手続補正１５】
【補正対象書類名】明細書
【補正対象項目名】００２４
【補正方法】変更
【補正の内容】
【００２４】
すなわち、上記の屋根部4は、上述したように通常、コルゲートパネルになっており、図示のような駐輪場7を設置することは強度的に通常は難しいので、角パイプやC型鋼等のフレームによってコルゲートパネルの凹部に挿入し、その上面を縞板鋼板等によって床面として覆うことにより補強する。
【手続補正１６】
【補正対象書類名】明細書
【補正対象項目名】００２５
【補正方法】変更
【補正の内容】
【００２５】
そして、屋根部4から傾斜昇降部5（階段5a及びスロープ5b或いは両方）を、図示の例では外部の地面まで設ける。これにより、外部から、自転車8を傾斜昇降部5に沿って押し上げ、屋根部4に駐輪させることで、駐輪場7を提供することが可能となる。なお、9は手摺であり、自転車8並びに人が屋根部4から落ちないようにするためのものである。
【手続補正１７】
【補正対象書類名】明細書
【補正対象項目名】００３７
【補正方法】変更
【補正の内容】
【００３７】
また、実施例3においては、図4に示す他のコンテナ1_2〜1_4の内部にレンタルボックスやコインロッカー等種々のものを収納できることは言うまでもない。
【手続補正１８】
【補正対象書類名】明細書
【補正対象項目名】００３８
【補正方法】変更
【補正の内容】
【００３８】
上記の実施例2〜4の場合には、1つのコンテナ内に階段5a及びスロープ5bを設けて自転車を引き上げるようにしているが、この場合には、これらの階段5a又はスロープ5bの傾斜角度が急なものとなり、危険を伴う場合もあるので、図6に示す本実施例5のコンテナ集合体20のように、複数のコンテナ1_1〜1_5の例ではコンテナ1_2〜1_5を経由して1つの傾斜昇降路5を設けてもよい。この場合には、コンテナ1_2〜1_5の屋根部4_2〜4_5の一部に共通に開口部6を設けており、また、左端のコンテナ1_1は図1に示した踊り場40と同等の機能を果すものである。
【手続補正１９】
【補正対象書類名】明細書
【補正対象項目名】００４０
【補正方法】変更
【補正の内容】
【００４０】
そして、このようにして、傾斜昇降部5に沿って押し上げられた自転車は、開口部6を除き、ほとんど全てのコンテナ1_1〜1_5の屋根部4_1〜4_5を利用して駐輪場7（図を簡略化するため、具体的には図示せず。）とすることが可能となる。
【手続補正２０】
【補正対象書類名】明細書
【補正対象項目名】００４１
【補正方法】変更
【補正の内容】
【００４１】
この実施例の場合には、例えば、左端に傾斜昇降路5を設けておけば、開口部6はそれに相当する面積だけでよく、その他のスペースはレンタルボックスやコインロッカーを収容することができる。
【手続補正２１】
【補正対象書類名】明細書
【補正対象項目名】００４２
【補正方法】変更
【補正の内容】
【００４２】
上記の実施例2〜5の場合にはコンテナを積み重ねることはしていないが、図7のように、コンテナを積み重ねるコンテナ集合体20もよく用いられており、このような場合には、図8に示すように、例えば2層構造のコンテナ集合体20として、1階部分のコンテナ1_12〜1_15を利用して傾斜昇降部5_1を設け、さらにコンテナ1_22〜1_25を利用して傾斜昇降部5_2を設ければ、2層構造のコンテナ集合体の場合でも、コンテナ1_21〜1_25の屋根部に自転車を引き上げることができ、駐輪場7（具体的には図示せず。）を形成することができる。なお、コンテナ1_11の屋根部と隣接しているコンテナ1_21の底部は傾斜昇降路5_1からの踊り場を形成するものである。
【手続補正２２】
【補正対象書類名】明細書
【補正対象項目名】００４３
【補正方法】変更
【補正の内容】
【００４３】
なお、この実施例の場合も、例えば、左端に傾斜昇降路5_1及び5_2を設けておけば、開口部（図示せず）はそれに相当する部分のみあればよく、その他のスペースは図6の実施例5と同様にレンタルボックスやコインロッカーを収容することができる。
【手続補正２３】
【補正対象書類名】明細書
【補正対象項目名】００４４
【補正方法】変更
【補正の内容】
【００４４】
また、上記の各実施例において、コンテナの屋根部を駐輪場とし、コンテナ内部をレンタルボックスやコインロッカー用に利用しているが、この逆でも可能であることは言うまでもない。